(57)【要約】【課題】冷却ファンに異物が付着して低い回転数の駆動力では冷却ファンが回転せずファンロックとなる事態や、連続加熱によって加熱装置周辺の温度が高くなり冷却ファンの回転数を低下することで加熱装置の温度が動作温度上限を越える事態を防ぐ加熱調理器を提供すること。【解決手段】加熱装置が加熱を開始する際に、一旦、最大設定の回転数で冷却ファンを回転させた後に所定の回転数に変更する速度調節装置を備え、最大設定の回転数で冷却ファンを回転させてファンロックを防止したり、加熱装置周辺の温度を低下して誤動作や電子部品の破壊を防ぐことができる構成とする。【選択図】　図１
2004071285.tif 000002
【特許請求の範囲】
【請求項１】
調理器庫内を冷却する冷却ファンと、前記冷却ファンの速度を調節する速度調節装置と、前記冷却ファンによって冷却される加熱装置を備え、前記速度調節装置は、前記加熱装置が加熱開始する際に、一旦、最大設定の回転数で冷却ファンを回転させた後に所定の回転数に変更する加熱調理器。
【請求項２】
加熱装置への電力の供給を制御する電源スイッチを備え、速度調節装置は、前記電源スイッチが投入された際に、一旦、最大設定の回転数で冷却ファンを回転させた後に回転数を低下する請求項１に記載の加熱調理器。
【請求項３】
速度調節装置は、加熱装置が加熱開始する際に、最大設定の回転数で所定時間冷却した後、回転数を低下する請求項１または２に記載の加熱調理器。
【請求項４】
加熱装置は火力設定手段を備え、速度調節装置は、前記加熱装置が加熱開始する際に、最大設定の回転数で所定時間冷却した後、火力設定手段により設定された火力に応じて回転数を低下する請求項１〜３のいずれか１項に記載の加熱調理器。
【請求項５】
速度調節装置は、温度検知手段を備え、前記加熱装置が加熱開始する際に、最大設定の回転数で所定時間冷却した後、温度検知手段により検知された温度に応じて回転数を低下する請求項１〜４のいずれか１項に記載の加熱調理器。
【請求項６】
速度調節装置は、温度検知手段を備え、前記加熱装置が加熱開始する際に、最大設定の回転数で所定時間冷却した後、温度検知手段により検知された温度の変化量に応じて回転数を低下する請求項１〜５のいずれか１項に記載の加熱調理器。
【請求項７】
加熱装置は負荷検知手段を備え、速度調節装置は、前記加熱装置が加熱開始する際に、最大設定の回転数で所定時間冷却した後、負荷検知手段により負荷が無いことを検知した場合には回転数を最小とする請求項１〜６のいずれか１項に記載の加熱調理器。
【発明の詳細な説明】
【０００１】
【発明の属する技術分野】
本発明は、調理器庫内を冷却する冷却ファンの速度を調節する速度調節装置を備えた加熱調理器に関する。
【０００２】
【従来の技術】
従来、この種の加熱調理器として、例えば、図５に示すような火力設定に応じて加熱開始時から冷却ファンの回転数を最大設定の回転数より低い回転数として冷却を行う加熱調理器がある。
【０００３】
図５において、誘導加熱調理器の外郭５１の上部には鍋５２が載置され、外郭５１の内部より発生する高周波磁界によって誘導された渦電流により鍋５２は発熱する。外郭５１内部には冷却ファン５３、速度調節装置５４、および加熱装置５５を備え、速度調節装置５４は冷却ファン５３の回転数を制御し、加熱開始時から最大設定より低い火力設定に応じた所定の回転数で冷却ファン５３を回転させて、加熱装置５５を冷却する際に発生する風切り音と言った騒音を低減する。
【０００４】
前記加熱装置５５はインバータ回路５５ａと、加熱コイル５５ｂとを備え、インバータ回路５５ａから出力される高周波電流が加熱コイル５５ｂに流れて高周波磁界が発生する。
【０００５】
図６に火力設定と回転数の相関を示す。図６において、最大火力設定である「強」の時には、回転数も最大設定となり、火力設定が低下するごとに回転数も低下するように設定されている。
【０００６】
図６から読みとれる様に、加熱装置５５により「弱」設定で加熱を開始する際、冷却ファン５３は最大設定の回転数より低い回転数で冷却を行うため、冷却ファン５３による騒音が低減される一方、加熱開始初期に加熱装置５５が高温である場合には、必要な冷却が確保されず、誤動作や電子部品の破壊を招く恐れがあった。
【０００７】
【発明が解決しようとする課題】
上記の加熱調理器において、冷却ファンに異物が付着して正常に動作せず、回転数が低下して冷却能力が低下した場合や、加熱停止した直後に再び加熱開始した時には、加熱開始初期における加熱装置の温度が高温であるにもかかわらず、必要な冷却が確保されず、誤動作や電子部品の破壊に至るという事態となる恐れがあった。
【０００８】
本発明は、上記従来の課題を解決するもので、加熱を開始する際に冷却ファンの回転を、一旦、最大設定の回転数で回転させることにより、異物の付着を取り除く、或いは可能な限りの冷却を確保する、もしくは冷却ファンによる冷却能力が低下していることを検知して加熱を停止することで、誤動作や電子部品の破壊に至るという事態を防ぐことができる加熱調理器を提供することを目的とする。
【０００９】
【課題を解決するための手段】
前記従来の課題を解決するために、本発明の加熱調理器は、加熱装置が加熱開始する際に、一旦、最大設定の回転数で冷却ファンを回転させる制御を行い、その後に所定の回転数へと低下させる速度調節する機能を設けたものである。
【００１０】
これにより、冷却ファンに異物が付着して正常に動作せず、回転数が低下して冷却能力が低下した際に、一旦、最大設定の回転数の駆動力で回転させることにより低い回転数の駆動力では取り除けなかった異物を取り除くことができるとともに、最大設定の回転数で回転することで、電子部品の温度上昇を可能な限り抑制するとともに、最大設定を基準として、同一の回転数における冷却ファンによる冷却能力が常に同一の冷却状態であるか検知することが精度良くできるため、吸気口や排気口といった空気の循環経路が遮蔽された場合など、冷却ファンによる冷却能力が低下している状態であることを検知して加熱を停止するなど、冷却能力の低下による誤動作や電子部品の破壊に至るという事態を防ぐことができる加熱調理器が得られる。
【００１１】
【発明の実施の形態】
請求項１に記載の発明は、加熱装置が加熱開始する際に、一旦、最大設定の回転数で冷却ファンを回転させた後に所定の回転数に変更する速度調節装置を備えているので、異物の付着を取り除く、或いは可能な限りの冷却を確保することで、誤動作や電子部品の破壊に至るという事態を防ぐことができる。
【００１２】
請求項２記載の発明は、特に、請求項１の構成に加熱装置などへの電力の供給を制御する電源スイッチを備え、前記電源スイッチが投入された場合には、一旦、最大設定の回転数で冷却ファンを回転させた後に回転数を低下する速度調節を行うため、電源スイッチが遮断されて温度検知機能が動作しなくなっても、電源を投入した時点で、異物の付着を取り除く、或いは可能な限りの冷却を確保することで、誤動作や電子部品の破壊に至るという事態を防ぐことが出来る。
【００１３】
請求項３記載の発明は、請求項１または２の構成において、特に、最大設定の回転数で所定時間冷却した後、冷却ファンの回転数を低下することにより、加熱停止直後の再加熱といった連続加熱時における温度上昇のオーバーシュートが発生する使用状態においても、加熱装置の温度を検知する温度センサを設置することなく電子部品の温度上昇を可能な限り抑制するとともに、また、温度センサを設置する場合には最大設定の回転数における冷却ファンによる冷却能力が常に同一の冷却状態であることを検知することが精度良くできるため、冷却ファンによる冷却能力が低下していることを検知して加熱開始を待機するなど、誤動作や電子部品の破壊に至るという事態を防ぐことが出来る。
【００１４】
請求項４記載の発明は、請求項１〜３の構成に加えて火力設定手段を備え、加熱装置が加熱開始する際に、一旦、最大設定の回転数で冷却ファンを回転させる速度調節装置を備え、かつ、前記火力設定手段により設定された火力に応じて回転数を低下する速度調節を行う仕様とすることで、冷却ファンに付着した異物を取り除く、或いは可能な限りの冷却を確保した上で、火力設定に応じた最大設定の回転数より低い回転数で冷却を行うため、冷却ファンによる騒音を低減することが出来る。
【００１５】
請求項５記載の発明は、請求項１〜４の構成に加えて温度検知手段を備え、加熱装置が加熱を開始する際に、一旦、最大設定の回転数で冷却した後、温度検知手段により検知された温度に応じて回転数を低下する速度調節を行うことで、
冷却ファンに付着した異物を取り除くことができるとともに、電子部品の温度上昇を可能な限り抑制し、また、同一の回転数における冷却ファンによる冷却能力が同一の冷却状態であるかを精度良く検知して、冷却能力が低下している状態では加熱を停止するなどして、誤動作や電子部品の破壊に至るという事態を防ぐことができる。
【００１６】
請求項６記載の発明は、請求項１〜５の構成において、特に、温度検知手段により検知された温度の変化量に応じて回転数を低下する速度調節を行うことで、冷却ファンに付着した異物を取り除くことができるとともに、電子部品の温度上昇を可能な限り抑制し、また、請求項５よりも精度良く、同一の回転数における冷却ファンによる冷却能力が同一の冷却状態であるかを検知して、冷却能力が低下している状態では加熱開始を待機するなどして、誤動作や電子部品の破壊に至るという事態を防ぐことができる。
【００１７】
請求項７に記載の発明は、請求項１〜６の構成において、特に、負荷検知手段により鍋などの被加熱物が無いことを検知して加熱動作と冷却ファンの回転を停止する事によって、冷却ファンに付着した異物を取り除くことができるとともに、電子部品の温度上昇を可能な限り抑制するとともに、冷却ファンの回転による騒音を防ぐことができる。
【００１８】
【実施例】
（実施例１）
以下本発明の一実施例について、図面を参照しながら説明する。図１は本発明の第一の実施例における誘導加熱調理器の縦断側面図で、図２は第一の実施例における誘導加熱調理器の前面パネルを示すものである。
【００１９】
図１において、従来例と同様に、誘導加熱調理器の外郭１１の上部には鍋１２が載置され、外郭１１の内部より発生する高周波磁界によって誘導された渦電流により鍋１２は発熱する。
【００２０】
外郭１１内部には冷却ファン１３、速度調節装置１４、および加熱装置１５を備え、速度調節装置１４は冷却ファン１３の回転数を制御し、加熱開始時には最大設定の回転数で冷却ファン１３を回転させて冷却ファン１３に異物が付着し、低い回転数の駆動力では冷却ファン１３が回らない場合でも、最大設定の回転数の駆動力で冷却ファン１３を駆動することにより、異物を取り除くことが可能となり、さらに風速を調節して、加熱装置１５を冷却する際に発生する風切り音といった騒音を低減する。
【００２１】
前記加熱装置１５はインバータ回路１５ａと、加熱コイル１５ｂと、温度センサ１５ｃと、負荷検知手段１５ｄとを備え、インバータ回路１５ａから出力される高周波電流が加熱コイル１５ｂに流れて高周波磁界が発生する。また、加熱装置１５内部の温度検知手段である温度センサ１５ｃの測定結果は速度調節装置１４へと出力され、温度センサ１５ｃからの出力と、火力設定とに応じた加熱装置２５の冷却がなされる。また、負荷検知手段１５ｄからの出力によって、鍋などの負荷が無い場合には、加熱動作を停止するとともに冷却ファンの動作を停止する。
【００２２】
図２に示す前面パネルは加熱装置に接続されて外郭１１の上面に備えられ、冷却ファン１３、速度調節装置１４、および加熱装置１５への電力の供給・遮断を行う電源スイッチ２１と、設定された火力が「弱」〜「強」のいずれであるかを点灯して表示する火力「弱」〜「強」表示２２ａ〜ｅと、火力設定手段である火力ダウンキー２３ａと、火力アップキー２３ｂとが設けられている。
【００２３】
火力アップキー２３ａ、火力ダウンキー２３ｂによって設定された火力設定ごとに冷却ファンの回転数が設定されており、一旦、最大回転数で回転した後に、温度センサ１５ｃからの出力が所定値（目標動作温度）以下であれば、火力設定に応じた回転数で冷却を継続する。
【００２４】
図３は温度検知手段である温度センサ１５ｃによる加熱装置１５の温度特性を示すグラフであり、以下、グラフの温度特性について図１、２を含めて説明する。
【００２５】
図３において、加熱装置１５の温度は、「強」設定で加熱されている場合には、目標動作温度となるように速度調節装置１４によって冷却ファン１３が最大回転数で回転して冷却されており、加熱停止時には冷却ファン１３も停止するため余熱によるオーバーシュートが発生し、目標動作温度よりも高くなる。
【００２６】
この状態で加熱停止直後に「弱」設定で加熱を開始した場合、余熱によって加熱装置１５の周囲温度が高くなっているため、「弱」設定に対応した冷却ファン１３の回転数へと速度制御装置１４が調整すると、図３の波線で示す温度特性の様に動作温度上限を越えて、誤動作や電子部品の破壊に至るという事態が発生する恐れがでてくる。
【００２７】
本実施例においては、一旦、最大設定の回転数で冷却ファン１３を回転させる速度調節装置１４によって、「弱」設定で加熱を開始しても、加熱開始直後は最大回転数で冷却ファン１３を回転させて加熱装置１５を冷却するため、図３の実線で示す温度特性の様に温度センサ１５ｃにて検知される加熱装置１５の温度は目標動作温度を下回った状態となるため、動作温度上限を越える恐れがなくなる。
【００２８】
また、最大設定の回転数で冷却を継続して、判定温度Ｔ１以下となれば、冷却能力が劣化していないと判断できるため、火力設定ごとに設定された最大設定よりも低い回転数で冷却を行い、冷却ファン１３による騒音を低減することが出来る。
【００２９】
図４に、火力設定「弱」で加熱を開始した際に、最大設定の回転数で冷却ファン１３を回転して冷却した温度変化量について示す。
【００３０】
温度変化量が冷却能力劣化判定温度変化量よりも少なければ、冷却能力は低下していると判断し、火力設定に応じた回転数を補正する、或いは温度センサ１５ｃからの出力によって回転数を制御し、場合によっては加熱動作を待機、または停止させる。
【００３１】
以上のように本実施例によれば、加熱装置１５が加熱を開始する際に、一旦、最大設定の回転数で冷却ファン１３を回転させた後に所定の回転数に変更する速度調節装置１４を備えることにより、冷却ファン１３に異物が付着していた場合でも異物を取り除く駆動力で冷却ファン１３を回転させて、また、連続加熱などにより加熱装置１５周辺の温度が高くなっている場合には、一旦、加熱装置１５の温度を下げた後に冷却ファン１３の回転数を下げて騒音を低下することができるので、加熱装置１５の温度が動作温度上限を越える事なく誤動作や電子部品の破壊に至るという事態を防ぐことが出来る。
【００３２】
また、本実施例において、電源スイッチ２１を投入した際に、冷却ファンの回転数を最大設定とする事により、電源スイッチ２１による加熱開始時には無条件に可能な限りの冷却能力が確保されるため、電源スイッチ２１が遮断され加熱装置１５の温度が検知出来ない場合においても、加熱開始時の温度上昇は抑制されて誤動作や電子部品の破壊に至るという事態を防ぐことが出来る。
【００３３】
また、本実施例に示すように、火力設定手段である火力ダウンキー２３ａ、火力アップキー２３ｂにより設定した火力に対応して、一旦、最大設定の回転数で冷却した後に火力設定に応じた回転数へと下げることで、冷却ファンに付着した異物を取り除く、或いは可能な限りの冷却を確保した上で、火力設定に応じた最大設定の回転数より低い回転数で冷却を行うため、冷却ファンによる騒音を低減することが出来る。
【００３４】
また、本実施例において、温度センサ１５ｃにより目標動作温度となるように速度制御装置１４によって冷却ファン１３の回転数を調整する場合に、一旦、最大設定の回転数で冷却する機能を備えることにより、加熱停止直後に加熱を開始するなど余熱によって加熱装置１５の温度上昇が動作温度上限をこえる現象を抑えたり、判定温度以下となれば最大回転数での冷却能力が劣化してないことを確認することが可能であり、また、最大設定の回転数で冷却した後に目標動作温度レベルとなる回転数へ低下することにより、冷却ファンの騒音を低減することが可能となる。
【００３５】
また、本実施例において、温度センサ１５ｃにより最大設定の回転数で冷却する際の温度変化量を検知することにより、冷却能力の劣化を速やかに確認する事が可能となり、劣化していれば回転数をアップするといった補正を行うことも出来る。
【００３６】
また、本実施例において、負荷検知手段１５により鍋などの負荷が無いことを検知して、一旦、最大設定の回転数で冷却ファンを回転させた後に加熱動作と冷却ファンの回転を停止することによって、冷却ファンの回転による騒音を防ぐことが出来る。
【００３７】
なお、図には特に記載していないが、外郭１１は冷却ファン５３が外気を取り込む吸気口や熱気を外に排気する排気口を備えていることは言うまでもない。
【００３８】
【発明の効果】
以上のように請求項１〜６に記載の発明によれば、加熱装置が加熱を開始する際に、一旦、最大設定の回転数で冷却ファンを回転させた後に所定の回転数に変更する速度調節装置を備え、冷却ファンに異物が付着して低い回転数の駆動力では冷却ファンが回転せずファンロックとなる事態や、連続加熱などによって加熱装置周辺の温度が高くなり冷却ファンの回転数をおとすことにより加熱装置の温度が動作温度上限を越える事態を防ぎ、誤動作や電子部品の破壊を防ぐことが出来る。
【００３９】
また、請求項７に記載の発明によれば、負荷検知手段を備え、一旦、最大設定の回転数にて回転させた後、負荷検知手段により負荷がないことを検知して加熱動作と冷却ファンの回転を停止することによって、ファンロックを防止しつつ、連続加熱などの加熱開始時の冷却を確保した上で、冷却ファンの回転による騒音を防ぎ、誤動作や電子部品の破壊を防ぐことが出来る。
【図面の簡単な説明】
【図１】本発明の実施例１における加熱調理器の縦断側面図
【図２】本発明の実施例１における加熱調理器の前面パネルの図
【図３】本発明の実施例１における温度検知手段による加熱装置の温度特性図
【図４】本発明の実施例２における温度検知手段による加熱装置の温度特性図
【図５】従来例における温度検知手段による加熱装置の図
【図６】従来例における火力設定と回転数の相関を示す図
【符号の説明】
１１　外郭
１２　鍋（被加熱物）
１３　冷却ファン
１４　速度調節装置
１５　加熱装置
１５ａ　インバータ装置
１５ｂ　加熱コイル
１５ｃ　温度センサ（温度検知手段）
１５ｄ　負荷検知手段
【図１】
2004071285.tif 000003
【図２】
2004071285.tif 000004
【図３】
2004071285.tif 000005
【図４】
2004071285.tif 000006
【図５】
2004071285.tif 000007
【図６】
2004071285.tif 000008